(57)【要約】【課題】照明器具の間引き及びその復旧を安全に行う。【解決手段】照明器具１０を、電源２０に接続する電源接続部１１と、電源接続部１１から供給される電力によって発光する発光体１２と、電源接続部１１から発光体１２に至る導電経路に配設されたスイッチ１３と、スイッチ１３を作動させる制御回路１４と、制御回路１４に連結された受光素子１５とで構成し、受光素子１５は、レーザーポインタから発光されるレーザー光を受光することにより制御回路１４を作動させ、スイッチ１３をオン又はオフにする。レーザーポインタからスイッチにレーザー光を照射するだけで個々の発光体ごとに点灯又は消灯を行うことができるため、脚立やハシゴ等を用いて照明器具を取り外す作業をすることなく照明器具の間引き及びその復旧を行うことが可能となる。【選択図】図１
2015232928.tif 000002
【特許請求の範囲】
【請求項１】
照明器具であって、
電源に接続する電源接続部と、該電源接続部から供給される電力によって発光する発光体と、該電源接続部から該発光体に至る導電経路に配設されたスイッチと、該スイッチを作動させる制御回路と、該制御回路に連結された受光素子と、から少なくとも構成され、
該受光素子は、レーザーポインタから発光されるレーザー光を受光することにより該制御回路を作動させ、該スイッチをオン又はオフにする照明器具。
【請求項２】
前記受光素子には、所定の波長の光のみを透過するフィルタが配設されている請求項１記載の照明器具。
【請求項３】
建造物又は構造物に複数設置された請求項１又は２記載の照明器具の点灯管理方法であって、
点灯すべき照明器具と消灯すべき照明器具とを選択する選択工程と、
レーザーポインタを用いて該選択工程で選択した照明器具の前記受光素子に光を照射して前記制御回路を作動させ前記スイッチをオン又はオフにする照明器具間引き工程と、
を少なくとも含む照明器具の点灯管理方法。
【発明の詳細な説明】
【技術分野】
【０００１】
本発明は、照明器具及び照明器具の点灯及び消灯を管理する方法に関する。
【背景技術】
【０００２】
オフィスや工場、船舶、各種スポーツ施設等の建造物、構造物には、蛍光灯、水銀灯、ＬＥＤ等の各種発光体からなる照明器具が複数設置されており、これらの照明器具を点灯させることにより、適度な明るさが確保され、作業環境等が整えられている。
【先行技術文献】
【特許文献】
【０００３】
【特許文献１】特開２００１−５６９９０号公報
【発明の概要】
【発明が解決しようとする課題】
【０００４】
しかし、壁に設けられた照明器具のスイッチは、複数の照明器具の点灯及び消灯をまとめて行うものであるため、照明器具ごとに個別に点灯及び消灯を行うことができない。したがって、節電等のために天井等の高所に設置された照明器具を間引く際には、脚立やハシゴを用いて照明器具を取り外す作業をしなければならず、危険を伴うという問題がある。また、照明器具の間引きをやめるために、取り外した照明器具を取り付けて元の状態に復旧させる際にも、同様の問題が生じる。
【０００５】
本発明は、このような問題にかんがみなされたもので、照明器具の間引き及びその復旧を安全に行うことを課題とする。
【課題を解決するための手段】
【０００６】
第一の発明は、照明器具であって、電源に接続する電源接続部と、電源接続部から供給される電力によって発光する発光体と、電源接続部から発光体に至る導電経路に配設されたスイッチと、スイッチを作動させる制御回路と、制御回路に連結された受光素子と、から少なくとも構成され、受光素子は、レーザーポインタから発光されるレーザー光を受光することにより制御回路を作動させ、スイッチをオン又はオフにする構成としている。
この照明器具の受光素子には、所定の波長の光のみを透過するフィルタが配設されていることが好ましい。
【０００７】
第二の発明は、建造物又は構造物に複数設置された前記照明器具の点灯管理方法であって、点灯すべき照明器具と消灯すべき照明器具とを選択する選択工程と、レーザーポインタを用いて選択工程で選択した照明器具の受光素子に光を照射して制御回路を作動させスイッチをオン又はオフにする照明器具間引き工程と、を少なくとも含んで構成される。
【発明の効果】
【０００８】
本発明では、個々の照明器具に、発光体に接続されたスイッチと、スイッチを作動させる制御回路と、制御回路に連結された受光素子とを備え、レーザーポインタから発光されるレーザー光を受光素子が受光することにより制御回路を作動させ、制御回路がスイッチをオン又はオフにする構成としているため、個々の照明器具ごとに点灯又は消灯を行うことができる。
したがって、レーザーポインタからスイッチにレーザー光を照射するだけで発光体を間引くことができ、脚立やハシゴ等を用いて照明器具を取り外す作業をする必要がなくなるため、照明器具の間引きを安全に行うことが可能となる。
同様に、レーザーポインタからスイッチにレーザー光を照射するだけで、間引いた照明器具を点灯させることができるため、脚立やハシゴ等を用いることなく安全に照明器具を復旧させることができる。
【図面の簡単な説明】
【０００９】
【図１】照明器具の構成を示すブロック図である。
【図２】（ａ）はスイッチがオンの状態を示す斜視図であり、（ｂ）はスイッチがオフの状態を示す斜視図である。
【図３】受光素子にレーザー光を照射して照明器具を間引く様子を示す正面図である。
【図４】照明器具の点灯管理方法を示すフローチャートである。
【発明を実施するための形態】
【００１０】
図１に示す各照明器具１０は、建造物や構造物に複数設置されるもので、電源２０に接続される電源接続部１１と、電源接続部１１から供給される電力によって発光する発光体１２と、電源接続部１１から発光体１２に至る導電経路に配設されたスイッチ１３と、スイッチ１３を作動させる制御回路１４と、制御回路１４に連結された受光素子１５とを備えている。図１の例では、照明器具１０が３つ示されているが、照明器具１０は、２つである場合もあるし、４つ以上ある場合もある。
【００１１】
電源接続部１１は、電源２０に対して並列に接続された回路であり、その一端には発光体１２が接続されている。発光体１２は、例えば蛍光灯、ＬＥＤ等であり、天井等の高所に設置されている。個々の発光体１２は、各スイッチ１３にそれぞれ接続されている。すなわち、１つの発光体１２に１つのスイッチ１３が対応している。スイッチ１３がオンになると、電源接続部１１から電力が供給されて発光体１２が発光し、スイッチ１３がオフになると、電源接続部１１からの電力供給が遮断されて発光体１２の発光を停止する。
【００１２】
各スイッチ１３には制御回路１４がそれぞれ接続されており、制御回路１４から出力される信号によってスイッチ１３をそれぞれオンまたはオフにすることができる。１つのスイッチ１３に１つの制御回路１４が対応しており、スイッチごとにオンまたはオフの制御を行うことができる。
【００１３】
スイッチ１３のオンまたはオフを行う制御回路１４は、受光素子１５にそれぞれ接続されている。受光素子１５は、例えば光センサであり、所定波長のレーザー光のみを透過するバンドパスフィルタ１５０を備えている。受光素子１５は、当該所定波長のレーザー光を受光すると、制御回路１４に対して信号を送出して制御回路１４を作動させる。そして、制御回路１４は、スイッチ１３に対して信号を出力してスイッチ１３をオンまたはオフにする。
【００１４】
図２に示すように、スイッチ１３は、制御回路１４によって駆動されるモータ１３０と、モータ１３０の回転軸１３１の先端に取り付けられた接触片１３２とから構成されている。接触片１３２の上端は、回転軸１３１の先端に固定されており、回転軸１３１の回転によって接触片１３２も回転する構成となっている。モータ１３０は、回転軸１３１を９０度ずつ回転させることにより、図２（ａ）に示す導通状態と図２（ｂ）に示す非導通状態とを切り換えることができる。ここで、導通状態とは、電源接続部１１と発光体１２との間が接続されて発光体１２が発光する状態であり、非導通状態とは、電源接続部１１と発光体１２との間の接続が遮断されて発光体１２が発光しない状態である。導通状態においては、図２（ｂ）に示す電源接続部１１に備えた接点１１０に接触片１３２の両端部が接触することにより、電源接続部１１と発光体１２とが導通する。一方、非導通状態においては、接点１１０と接触片１３２とが非接触となって、電源接続部１１と発光体１２との接続が解除される。
【００１５】
次に、以上のように構成される照明器具１０の点灯管理方法について、図３及び図４を参照して説明する。
【００１６】
（１）選択工程
例えば、図３に示すように、照明器具１０ａ，１０ｂ，１０ｃ，・・・１０ｇが天井に設置されている場合において、作業者は、これらの中から、点灯すべき照明器具と消灯すべき照明器具とを選択する。例えば、照明器具１０ｂ，１０ｄ，１０ｆを消灯して間引きしようとする場合は、消灯すべき照明器具として、照明器具１０ｂ，１０ｄ，１０ｆを選択する。一方、照明器具１０ａ，１０ｃ，１０ｅ，１０ｇについては、点灯させたままとする。
【００１７】
（２）照明器具間引き工程
次に、作業者は、図３に示すように、選択した照明器具１０ｂ，１０ｄ，１０ｆの受光素子１５ｂ、１５ｄ、１５ｆにレーザーポインタ３０を向け、レーザー光３００を照射する。このレーザー光３００は、受光素子１５ｂ、１５ｄ、１５ｆに備えたバンドパスフィルタ１５０（図１参照）を透過する波長を有している。レーザー光３００としては、例えば波長が５３２ｎｍのレーザー光を用い、バンドパスフィルタ１５０の透過光波長帯域は５３０〜５４０ｎｍに設定される。レーザー光は直進性が高いため、所望の受光素子のみに正確に照射することができる。
【００１８】
受光素子１５ｂ、１５ｄ、１５ｆは、バンドパスフィルタ１５０を透過したレーザー光を受光したか否かに応じた処理を行う（図４のステップＳ１）。レーザー光を受光しない場合は、何もせずに現状のままとする。すなわち、図１に示した制御回路１４を作動させない（図４のステップＳ２）。
【００１９】
一方、受光素子１５がレーザー光を受光した場合は、制御回路１４にその旨の信号を通知する。そうすると、制御回路１４が作動し、図２に示したスイッチ１３のモータ１３０の接触片１３２を９０度回転させる（図４のステップＳ３）。接触片１３２が９０度回転することにより、発光体１２ｂ，１２ｄ，１２ｆと電源接続部１１とが導通しなくなるため、導通状態から非導通状態に移行し、発光体１２ｂ，１２ｄ，１２ｆへの電力供給が遮断され、発光体１２ｂ，１２ｄ，１２ｆが発光を停止し、照明器具１０ｂ，１０ｄ，１０ｆが消灯する。
【００２０】
このように、レーザーポインタ３０から各受光素子に向けてレーザー光を照射するだけで、所望の照明器具を消灯させて間引くことができるため、脚立やハシゴ等を用いて照明器具を取り外す作業をする必要がなくなる。
【００２１】
また、間引きをやめるときは、照明器具を消灯させたときと同様に、受光素子１５ｂ，１５，１５ｆに向けてレーザーポインタ３０から同様のレーザー光を照射する。そうすると、制御回路１４が作動し、図２に示したスイッチ１３のモータ１３０の接触片１３２を９０度回転させる（図４のステップＳ３）。接触片１３２が９０度回転することにより、発光体１２ｂ，１２ｄ，１２ｆと電源接続部１１とが導通しなくなるため、導通状態から非導通状態に移行し、発光体１２ｂ，１２ｄ，１２ｆへの電力供給が再開され、発光体１２ｂ，１２ｄ，１２ｆが発光し、照明器具１０ｂ，１０ｄ，１０ｆが再び点灯する。したがって、照明器具の間引きの復旧についても、脚立やハシゴ等を用いることなく安全に行うことができる。
【００２２】
なお、本発明の照明器具１０は、照明の間引き以外にも利用することができる。例えば、プロジェクタを用いてパソコン等の画面をスクリーンに投影する場合には、部屋をある程度暗くする必要があるが、その場合には、レーザーポインタを用いて個々の照明器具を消灯することで、明るさをきめ細かく調整して適度な明るさにすることができる。また、照明器具の点灯及び消灯に用いるレーザーポインタを、スクリーンに投影された画面の特定箇所の指示にも利用することができ、便利である。
【符号の説明】
【００２３】
１０，１０ａ，１０ｂ，１０ｃ，１０ｄ，１０ｅ，１０ｆ，１０ｇ：照明器具
１１：電源接続部  １１０：接点
１２，１２ａ，１２ｂ，１２ｃ，１２ｄ，１２ｅ，１２ｆ，１２ｇ：発光体
１３：スイッチ  １３０：モータ  １３１：回転軸  １３２：接触片
１４：制御回路
１５，１５ａ，１５ｂ，１５ｃ，１５ｄ，１５ｅ，１５ｆ，１５ｇ：受光素子
１５０：バンドパスフィルタ
２０：電源
３０：レーザーポインタ  ３００：レーザー光
【図１】
2015232928.tif 000003
【図２】
2015232928.tif 000004
【図３】
2015232928.tif 000005
【図４】
2015232928.tif 000006